(57)【要約】【課題】優れた減衰特性のフィルタ素子を提供する。【解決手段】帯状絶縁体５ａ，５ｂを介して重ねた状態で信号用導電体８に対して接地用導電体７が外側になるように巻回して筒状に形成されると共に中心部に磁性コア６が配設されたコイル部５と、信号用導電体８の最外周部に接続されると共にコイル部５の外周側部位から引き出される入力端子２と、信号用導電体８の最内周部に接続されると共に磁性コア６を挟んで入力端子２の引出し部位と反対側に位置するコイル部５の中心側部位から引き出される出力端子３と、接地用導電体７の最外周部に接続されると共に出力端子３の引出し部位を挟んで入力端子２の引出し部位と反対側に位置するコイル部５の外周側部位から引き出される接地用端子４とを備えた。【選択図】図３
2005102167.tif 000002
【特許請求の範囲】
【請求項１】
信号用帯状導電体と接地用帯状導電体とを帯状絶縁体を介して重ねた状態で当該信号用帯状導電体に対して当該接地用帯状導電体が外側になるように巻回することによって全体として筒状に形成されると共に中心部に磁性体が配設されたコイル部と、
前記信号用帯状導電体の最外周部に接続されると共に当該コイル部の外周側部位から引き出される入力端子と、
前記信号用帯状導電体の最内周部に接続されると共に前記磁性体を挟んで前記入力端子の引出し部位とは反対側に位置する当該コイル部の中心側部位から引き出される出力端子と、
前記接地用帯状導電体の最外周部に接続されると共に前記出力端子の引出し部位を挟んで前記入力端子の引出し部位とは反対側に位置する当該コイル部の外周側部位から引き出される接地用端子とを備えているフィルタ素子。
【請求項２】
信号用帯状導電体と接地用帯状導電体とを帯状絶縁体を介して重ねた状態で当該接地用帯状導電体に対して当該信号用帯状導電体が外側になるように巻回することによって全体として筒状に形成されると共に中心部に磁性体が配設されたコイル部と、
前記信号用帯状導電体の最内周部に接続されると共に当該コイル部の中心側部位から引き出される入力端子と、
前記接地用帯状導電体の最内周部に接続されると共に前記磁性体を挟んで前記入力端子の引出し部位とは反対側に位置する当該コイル部の中心側部位から引き出される接地用端子と、
前記信号用帯状導電体の最外周部に接続されると共に前記接地用端子の引出し部位を挟んで前記入力端子の引出し部位とは反対側に位置する当該コイル部の外周側部位から引き出される出力端子とを備えているフィルタ素子。
【請求項３】
一対の信号用帯状導電体と接地用帯状導電体とを帯状絶縁体を介して重ねた状態で当該一対の信号用帯状導電体に対して当該接地用帯状導電体が外側になるように巻回することによって全体として筒状に形成されると共に中心部に磁性体が配設されたコイル部と、
前記一対の信号用帯状導電体の各最外周部に接続されると共に当該コイル部の外周側部位からそれぞれ引き出される一対の入力端子と、
前記一対の信号用帯状導電体の各最内周部に接続されると共に前記磁性体を挟んで前記一対の入力端子の引出し部位とは反対側に位置する当該コイル部の中心側部位からそれぞれ引き出される一対の出力端子と、
前記接地用帯状導電体の最外周部に接続されると共に前記一対の出力端子の引出し部位を挟んで前記一対の入力端子の引出し部位とは反対側に位置する当該コイル部の外周側部位から引き出される接地用端子とを備えているフィルタ素子。
【請求項４】
一対の信号用帯状導電体と接地用帯状導電体とを帯状絶縁体を介して重ねた状態で当該接地用帯状導電体に対して当該一対の信号用帯状導電体が外側になるように巻回することによって全体として筒状に形成されると共に中心部に磁性体が配設されたコイル部と、
前記一対の信号用帯状導電体の各最内周部に接続されると共に当該コイル部の中心側部位からそれぞれ引き出される一対の入力端子と、
前記接地用帯状導電体の最内周部に接続されると共に前記磁性体を挟んで前記一対の入力端子の引出し部位とは反対側に位置する当該コイル部の中心側部位から引き出される接地用端子と、
前記一対の信号用帯状導電体の各最外周部に接続されると共に前記接地用端子の引出し部位を挟んで前記一対の入力端子の引出し部位とは反対側に位置する当該コイル部の外周側部位からそれぞれ引き出される一対の出力端子とを備えているフィルタ素子。
【請求項５】
前記信号用帯状導電体の巻数をｎ（ｎは２以上の数）としたときに、前記接地用帯状導電体は、巻数が１以上（ｎ−１）以下に規定されると共に、前記最外周部の端部を当該信号用帯状導電体における前記最外周部の端部に揃えた状態で巻回されている請求項１または３記載のフィルタ素子。
【請求項６】
前記信号用帯状導電体の巻数をｎ（ｎは２以上の数）としたときに、前記接地用帯状導電体は、巻数が１以上（ｎ−１）以下に規定されると共に、前記最内周部の端部を当該信号用帯状導電体における前記最内周部の端部に揃えた状態で巻回されている請求項２または４記載のフィルタ素子。
【請求項７】
前記入力端子の引出し部位、前記出力端子の引出し部位および前記接地用端子の引出し部位は、前記コイル部の中心軸を含む同一平面上に位置している請求項１から６のいずれかに記載のフィルタ素子。
【発明の詳細な説明】
【技術分野】
【０００１】
本発明は、帯状絶縁体に帯状導電体を重ねた状態で巻回されて構成されたフィルタ素子に関するものである。
【背景技術】
【０００２】
この種のフィルタ素子として、特許第２８２６３２０号公報において比較例および実施例として開示されたフィルタ素子が知られている。
【０００３】
このうち、比較例として開示されたフィルタ素子（以下、「フィルタ」ともいう）は、同公報中の第１図（Ａ）に示すように、円筒状の巻回部（４０）と、その一端面に設けられた３本のリード（３４−１，３４−２，３６）を備えて構成されている。この場合、巻回部（４０）は、帯状導電体（３０−１）および接地用帯状導電体（３０−２）を誘電体層（３２−１，３２−２）を介して重ね合わせた積層体（第２図参照）を回転巻き軸（３８）の回りに複数回巻き回して形成されている。一方、入出力用の第１内側リード（３４−１）は、帯状導電体（３０−１）の内端（同図においては左端）近傍に接続されている。また、入出力用の第１外側リード（３４−２）は、帯状導電体（３０−１）の外側近傍に接続されている。さらに、接地用外側リード（３６）は、接地用帯状導電体（３０−２）の外端近傍に、第１外側リード（３４−２）から巻き軸（３８）を中心として１／２回転ずらして接続されている。
【０００４】
この構成により、このフィルタでは、導電体（３０−１，３０−２）を展開した状態での両リード（３４−２，３６）の間隔を充分に狭めることができるため、優れた減衰特性を実現することができる。さらに、このフィルタでは、これら両リード（３４−２，３６）を巻き軸中心（Ｐ）を介してほぼ一直線（１００）上に所定間隔で位置させることができるため、ほぼ均一でしかも良好な減衰特性と共に、優れた量産性を実現することができる。また、このフィルタは、同公報中の第１図（Ｂ）に示すように、上記の巻き軸（３８）を抜き取った状態において、円筒状の巻回部（４０）を加熱しつつ、２つのリード（３４−２，３６）を結んだ線（１００）と直交する方向から押圧することにより、空心部（４２）および巻回部（４０）を偏平に変形させた構成においても同様の効果を奏することができる。
【０００５】
一方、実施例として開示されたフィルタ素子は、同公報中の第４図に示すように、円筒状の巻回部（４０）、およびその一端面に設けられた３本のリード（３４−１，３４−２，３６）を備えると共に、接地用外側リード（３６）が第１外側リード（３４−２）に対して巻き軸（３８）を中心として１／２回転ずらして配置されている（第１外側リード（３４−２）、接地用リード（３６）および巻き軸中心（Ｐ）が直線（１００）上に配置されている）点で、上記した比較例のフィルタ素子と共通する。一方、実施例として開示されたフィルタ素子は、第１内側リード（３４−１）が第１外側リード（３４−２）に対して巻き軸（３８）を中心として１／４回転ずらして配置されている（直線（１００）と直交して巻き軸中心Ｐを通過する直線（１１０）上に第１内側リード（３４−１）が配置されている）点で上記した比較例のフィルタ素子と相違する。
【０００６】
この構成により、実施例として開示されたフィルタ素子では、導電体（３０−１，３０−２）を展開した状態での両リード（３４−２，３６）の間隔を充分に狭めることができるため、優れた減衰特性を実現することができる。さらに、このフィルタ素子では、巻回部（４０）を偏平に変形させた際に、第１内側リード（３４−１）を巻き軸中心（Ｐ）とほぼ同じ位置に位置させることができる結果、巻き軸中心（Ｐ）、つまり第１内側リード（３４−１）を中心として接地用リード（３６）および第１外側リード（３４−２）を左右対称に配置することができる。したがって、第１外側リード（３４−２）と第１内側リード（３４−１）との間、および第１内側リード（３４−１）と接地用リード（３６）との間の物理的な各間隔が十分に得られるために、配線および半田付け等の作業によりショートすることを有効に回避することができる。したがって、フィルタ素子のプリント基板への取付けを容易にすることができる。
【特許文献１】特許第２８２６３２０号公報（第３−５頁、第１、２，４図）
【発明の開示】
【発明が解決しようとする課題】
【０００７】
ところが、同種の空芯デバイスは、例えばスイッチング電源から発せられるノイズのような低周波ノイズに対して効果が小さかった。また、さらに優れた減衰特性を有するフィルタ素子の実現が望まれていた。そこで、本願発明者は、このような要望に応えるべく、この種のフィルタ素子についての研究を独自に重ねた結果、各リードを特定の配置にすることによって、さらに優れた減衰特性を備えたフィルタ素子を実現できることを見出した。
【０００８】
本発明は、上記の要望に鑑みてなされたものであり、優れた減衰特性を有するフィルタ素子を提供することを主目的とする。
【課題を解決するための手段】
【０００９】
上記目的を達成すべく請求項１記載のフィルタ素子は、信号用帯状導電体と接地用帯状導電体とを帯状絶縁体を介して重ねた状態で当該信号用帯状導電体に対して当該接地用帯状導電体が外側になるように巻回することによって全体として筒状に形成されると共に中心部に磁性体が配設されたコイル部と、前記信号用帯状導電体の最外周部に接続されると共に当該コイル部の外周側部位から引き出される入力端子と、前記信号用帯状導電体の最内周部に接続されると共に前記磁性体を挟んで前記入力端子の引出し部位とは反対側に位置する当該コイル部の中心側部位から引き出される出力端子と、前記接地用帯状導電体の最外周部に接続されると共に前記出力端子の引出し部位を挟んで前記入力端子の引出し部位とは反対側に位置する当該コイル部の外周側部位から引き出される接地用端子とを備えている。ここで、本発明における「帯状導電体」とは、厚みの薄いシート状の導電体に限らず、ある程度の厚みのある導電体、例えば、断面形状が丸形、楕円、四角形、または台形に形成された可撓性を有する板状の導電体をも含むことを意味する。
【００１０】
また、請求項２記載のフィルタ素子は、信号用帯状導電体と接地用帯状導電体とを帯状絶縁体を介して重ねた状態で当該接地用帯状導電体に対して当該信号用帯状導電体が外側になるように巻回することによって全体として筒状に形成されると共に中心部に磁性体が配設されたコイル部と、前記信号用帯状導電体の最内周部に接続されると共に当該コイル部の中心側部位から引き出される入力端子と、前記接地用帯状導電体の最内周部に接続されると共に前記磁性体を挟んで前記入力端子の引出し部位とは反対側に位置する当該コイル部の中心側部位から引き出される接地用端子と、前記信号用帯状導電体の最外周部に接続されると共に前記接地用端子の引出し部位を挟んで前記入力端子の引出し部位とは反対側に位置する当該コイル部の外周側部位から引き出される出力端子とを備えている。
【００１１】
また、請求項３記載のフィルタ素子は、一対の信号用帯状導電体と接地用帯状導電体とを帯状絶縁体を介して重ねた状態で当該一対の信号用帯状導電体に対して当該接地用帯状導電体が外側になるように巻回することによって全体として筒状に形成されると共に中心部に磁性体が配設されたコイル部と、前記一対の信号用帯状導電体の各最外周部に接続されると共に当該コイル部の外周側部位からそれぞれ引き出される一対の入力端子と、前記一対の信号用帯状導電体の各最内周部に接続されると共に前記磁性体を挟んで前記一対の入力端子の引出し部位とは反対側に位置する当該コイル部の中心側部位からそれぞれ引き出される一対の出力端子と、前記接地用帯状導電体の最外周部に接続されると共に前記一対の出力端子の引出し部位を挟んで前記一対の入力端子の引出し部位とは反対側に位置する当該コイル部の外周側部位から引き出される接地用端子とを備えている。
【００１２】
また、請求項４記載のフィルタ素子は、一対の信号用帯状導電体と接地用帯状導電体とを帯状絶縁体を介して重ねた状態で当該接地用帯状導電体に対して当該一対の信号用帯状導電体が外側になるように巻回することによって全体として筒状に形成されると共に中心部に磁性体が配設されたコイル部と、前記一対の信号用帯状導電体の各最内周部に接続されると共に当該コイル部の中心側部位からそれぞれ引き出される一対の入力端子と、前記接地用帯状導電体の最内周部に接続されると共に前記磁性体を挟んで前記一対の入力端子の引出し部位とは反対側に位置する当該コイル部の中心側部位から引き出される接地用端子と、前記一対の信号用帯状導電体の各最外周部に接続されると共に前記接地用端子の引出し部位を挟んで前記一対の入力端子の引出し部位とは反対側に位置する当該コイル部の外周側部位からそれぞれ引き出される一対の出力端子とを備えている。
【００１３】
また、請求項５記載のフィルタ素子は、請求項１または３記載のフィルタ素子において、前記信号用帯状導電体の巻数をｎ（ｎは２以上の数）としたときに、前記接地用帯状導電体は、巻数が１以上（ｎ−１）以下に規定されると共に、前記最外周部の端部を当該信号用帯状導電体における前記最外周部の端部に揃えた状態で巻回されている。
【００１４】
また、請求項６記載のフィルタ素子は、請求項２または４記載のフィルタ素子において、前記信号用帯状導電体の巻数をｎ（ｎは２以上の数）としたときに、前記接地用帯状導電体は、巻数が１以上（ｎ−１）以下に規定されると共に、前記最内周部の端部を当該信号用帯状導電体における前記最内周部の端部に揃えた状態で巻回されている。
【００１５】
また、請求項７記載のフィルタ素子は、請求項１から６のいずれかに記載のフィルタ素子において、前記入力端子の引出し部位、前記出力端子の引出し部位および前記接地用端子の引出し部位は、前記コイル部の中心軸を含む同一平面上に位置している。
【発明の効果】
【００１６】
請求項１記載のフィルタ素子によれば、信号用帯状導電体に対して接地用帯状導電体が外側になるように巻回することによって全体として筒状に形成されると共に中心部に磁性体が配設されたコイル部と、信号用帯状導電体の最外周部に接続されると共にコイル部から引き出される入力端子と、信号用帯状導電体の最内周部に接続されると共に磁性体を挟んで入力端子の引出し部位とは反対側に位置するコイル部の中心側部位から引き出される出力端子と、接地用帯状導電体の最外周部に接続されると共に出力端子の引出し部位を挟んで入力端子の引出し部位とは反対側に位置するコイル部の外周側部位から引き出される接地用端子とを備えたことにより、所定の周波数帯域において大きな減衰量を確保することができる結果、優れた減衰特性を有するノーマルモード用のフィルタ素子を実現することができる。
【００１７】
また、請求項２記載のフィルタ素子によれば、接地用帯状導電体に対して信号用帯状導電体が外側になるように巻回することによって全体として筒状に形成されると共に中心部に磁性体が配設されたコイル部と、信号用帯状導電体の最内周部に接続されると共にコイル部から引き出される入力端子と、接地用帯状導電体の最内周部に接続されると共に磁性体を挟んで入力端子の引出し部位とは反対側に位置するコイル部の中心側部位から引き出される接地用端子と、信号用帯状導電体の最外周部に接続されると共に接地用端子の引出し部位を挟んで入力端子の引出し部位とは反対側に位置するコイル部の外周側部位から引き出される出力端子とを備えたことにより、所定の周波数帯域において大きな減衰量を確保することができる結果、優れた減衰特性を有するノーマルモード用のフィルタ素子を実現することができる。
【００１８】
また、請求項３記載のフィルタ素子によれば、一対の信号用帯状導電体に対して接地用帯状導電体が外側になるように巻回することによって全体として筒状に形成されると共に中心部に磁性体が配設されたコイル部と、一対の信号用帯状導電体の各最外周部に接続されると共にコイル部からそれぞれ引き出される一対の入力端子と、一対の信号用帯状導電体の各最内周部に接続されると共に磁性体を挟んで一対の入力端子の引出し部位とは反対側に位置するコイル部の中心側部位からそれぞれ引き出される一対の出力端子と、接地用帯状導電体の最外周部に接続されると共に一対の出力端子の引出し部位を挟んで一対の入力端子の引出し部位とは反対側に位置するコイル部の外周側部位から引き出される接地用端子とを備えたことにより、所定の周波数帯域において大きな減衰量を確保することができる結果、優れた減衰特性を有するコモンモード用のフィルタ素子を実現することができる。
【００１９】
また、請求項４記載のフィルタ素子によれば、接地用帯状導電体に対して一対の信号用帯状導電体が外側になるように巻回することによって全体として筒状に形成されると共に中心部に磁性体が配設されたコイル部と、一対の信号用帯状導電体の各最内周部に接続されると共にコイル部からそれぞれ引き出される一対の入力端子と、接地用帯状導電体の最内周部に接続されると共に磁性体を挟んで一対の入力端子の引出し部位とは反対側に位置するコイル部の中心側部位から引き出される接地用端子と、一対の信号用帯状導電体の各最外周部に接続されると共に接地用端子の引出し部位を挟んで一対の入力端子の引出し部位とは反対側に位置するコイル部の外周側部位からそれぞれ引き出される一対の出力端子とを備えたことにより、所定の周波数帯域において大きな減衰量を確保することができる結果、優れた減衰特性を有するコモンモード用のフィルタ素子を実現することができる。
【００２０】
また、請求項５記載のフィルタ素子によれば、信号用帯状導電体の巻数をｎ（ｎは２以上の数）としたときに、接地用帯状導電体の巻数を１以上（ｎ−１）以下に規定すると共に、最外周部の端部を信号用帯状導電体における最外周部の端部に揃えた状態で接地用帯状導電体を巻回したことにより、同じ長さの接地用導電体および信号用導電体を使用した構成と比較して、同一のポットコアや同一の磁性コアを使用したときであっても、信号用導電体の巻数を増加させることができる。このため、このフィルタ素子によれば、分布インダクタンスの増加により、より低い周波数帯域でのノイズ削減効果を向上させることができる。
【００２１】
また、請求項６記載のフィルタ素子によれば、信号用帯状導電体の巻数をｎ（ｎは２以上の数）としたときに、接地用帯状導電体の巻数を１以上（ｎ−１）以下に規定すると共に、最内周部の端部を信号用帯状導電体における最内周部の端部に揃えた状態で接地用帯状導電体を巻回したことにより、同じ長さの接地用導電体および信号用導電体を使用した構成と比較して、同一のポットコアや同一の磁性コアを使用したときであっても、信号用導電体の巻数を増加させることができる。このため、このフィルタ素子によれば、分布インダクタンスの増加により、より低い周波数帯域でのノイズ削減効果を向上させることができる。
【００２２】
また、請求項７記載のフィルタ素子によれば、コイル部の中心軸を含む同一平面上に、入力端子の引出し部位、出力端子の引出し部位および接地用端子の引出し部位を位置させたことにより、所定の周波数帯域においてさらに大きな減衰量を確保することができる結果、一層優れた減衰特性を有するノーマルモード用またはコモンモード用のフィルタ素子を実現することができる。
【発明を実施するための最良の形態】
【００２３】
以下、添付図面を参照して、本発明に係るフィルタ素子の最良の形態について説明する。
【００２４】
（第１の最良の形態）
最初に、本形態に係るフィルタ素子１について、図面を参照して説明する。
【００２５】
フィルタ素子１は、図１に示すように、入力端子２、出力端子３、接地用端子４、コイル部５および柱状（一例として円柱状）の磁性体（磁性コア）６を備えて構成されて、分布定数型の３端子型ノイズフィルタ（低域通過型のノーマルモードフィルタ）として機能する。
【００２６】
コイル部５は、図３に示すように、例えば同じ幅に形成された帯状絶縁体５ａ，５ｂ、および各帯状絶縁体５ａ，５ｂよりも幅狭に形成された接地用帯状導電体７，信号用帯状導電体８を備えている。この場合、各帯状絶縁体５ａ，５ｂは、誘電性および電気的絶縁性を有する材料で構成されている。接地用帯状導電体（以下、「接地用導電体」ともいう）７は、その一端側に接地用端子４の一端側が電気的に接続されている。また、接地用導電体７は、帯状絶縁体５ａの上に、帯状絶縁体５ａにおける幅方向の中央部に位置するように重ねられている。帯状絶縁体５ｂは、帯状絶縁体５ａの上に、接地用導電体７を帯状絶縁体５ａとの間で挟み込むようにして重ねられている。一方、信号用帯状導電体８（以下、「信号用導電体」ともいう）は、接地用導電体７と同じ長さに設定されて、その一端側に入力端子２の一端側が電気的に接続されると共に、その他端側に出力端子３の一端側が電気的に接続されている。また、信号用導電体８は、帯状絶縁体５ｂの上に、帯状絶縁体５ｂにおける幅方向の中央部に位置すると共に、各端部の位置が接地用導電体７の各端部の位置に揃うようにして重ねられている。つまり、各導電体７，８は、帯状絶縁体５ｂを挟んだ状態で帯状絶縁体５ａ上に重ねられている。コイル部５は、このように互いに重ねられた各帯状絶縁体５ａ，５ｂ、および各導電体７，８を、各導電体７，８の他端側を巻き始めとして、かつ信号用導電体８に対して接地用導電体７が外側になるように巻回することにより、接地用導電体７および信号用導電体８の巻数が例えば同一であって、全体として図１に示すような筒状（中心部に空隙Ｈが形成された円筒状）に形成されている。磁性コア６は、この空隙Ｈ内に装着されて、コイル部５の中心部に配設されている。
【００２７】
この場合、入力端子２が接続される信号用導電体８の一端側（最外周部）は接地用導電体７の一端側とほぼ揃った状態でコイル部５の外周側に位置して、入力端子２は、図１に示すように、コイル部５の一方の端面（同図中の上端面）における外周側部位（図２中の引出し部位Ａ）から引き出されている。一方、出力端子３が接続される信号用導電体８の他端側（最内周部）は接地用導電体７の他端側とほぼ揃った状態でコイル部５の中心側（内周側）に位置して、出力端子３は、図１に示すように、コイル部５の一方の端面における中心側部位（図２中の引出し部位Ｂ）から引き出されている。ここで、出力端子３の引出し部位Ｂは、図２に示すように、コイル部５の中心軸Ｏと入力端子２の引出し部位Ａとを含む仮想平面Ｌ（以下、「平面Ｌ」ともいう）上であって、中心軸Ｏ（磁性コア６）を挟んで引出し部位Ａとは反対側に設定されている。また、接地用端子４が接続される接地用導電体７における一端側（最外周部）はコイル部５の外周側に位置して、接地用端子４は、図１に示すように、コイル部５の一方の端面における外周側部位（図２中の引出し部位Ｃ）から引き出されている。具体的には、接地用端子４の引出し部位Ｃは、図２に示すように、平面Ｌ上であって、引出し部位Ｂを挟んで引出し部位Ａとは反対側に設定されている。ここで、本発明における入力端子２等の「引出し部位」とは、入力端子２等がコイル部５から突出するコイル部５の表面における部位をいう。したがって、コイル部５がポットコア（磁性体）等に収容されて、ポットコアから入力端子２等が引き出される部位と、コイル部５から入力端子２等が引き出される部位とが相違する構成においても、コイル部５から引き出される部位が、入力端子２等の「引出し部位」となる。同様にして、コイル部５から引き出した入力端子２等をボビンの足に接続するときにおいても、コイル部５から引き出される部位が、入力端子２等の「引出し部位」となる。したがって、ボビンの足を平面Ｌ上に配設する必要はなく、任意の位置にボビンの足を配設することができる。
【００２８】
このフィルタ素子１によれば、信号用導電体８に対して接地用導電体７が外側になるように巻回して全体として筒状に形成されると共に中心部に磁性コア６が配設されたコイル部５と、信号用導電体８の最外周部に接続されると共にコイル部５の外周側部位（引出し部位Ａ）から引き出される入力端子２と、信号用導電体８の最内周部に接続されると共に磁性コア６を挟んで入力端子２の引出し部位Ａとは反対側に位置するコイル部５の中心側部位（引出し部位Ｂ）から引き出される出力端子３と、接地用導電体７の最外周部に接続されると共に出力端子３の引出し部位Ｂを挟んで入力端子２の引出し部位Ａとは反対側に位置するコイル部５の外周側部位（引出し部位）から引き出される接地用端子４とを備えたことにより、図１９において符号Ｐで示すように、所定の周波数帯域（同図では約１．５ＭＨｚ〜１５ＭＨｚ）において大きな減衰量（５０ｄＢ以上の減衰量）を確保することができる結果、優れた減衰特性を有するノーマルモード用のフィルタ素子を実現することができる。
【００２９】
（第２の最良の形態）
次に、本形態に係るフィルタ素子１１の構成について図４〜図６を参照して説明する。なお、フィルタ素子１と同一の構成については同一の符号を付して、重複する説明を省略する。
【００３０】
フィルタ素子１１は、図４に示すように、入力端子２、出力端子３、接地用端子４、コイル部１５および円柱状の磁性コア６を備えて構成されて、分布定数型の３端子型ノイズフィルタ（低域通過型のノーマルモードフィルタ）として機能する。
【００３１】
コイル部１５は、図６に示すように、帯状絶縁体５ａ，５ｂおよび導電体７，８を備えている。この場合、信号用導電体８は、その一端側に出力端子３の一端側が電気的に接続されると共に、その他端側に入力端子２の一端側が電気的に接続されている。また、信号用導電体８は、帯状絶縁体５ａの上に、帯状絶縁体５ａにおける幅方向の中央部に位置するように重ねられている。帯状絶縁体５ｂは、帯状絶縁体５ａの上に、信号用導電体８を帯状絶縁体５ａとの間で挟み込むようにして重ねられている。一方、接地用導電体７は、信号用導電体８と同じ長さに設定されて、その他端側に接地用端子４の一端側が電気的に接続されている。また、接地用導電体７は、帯状絶縁体５ｂの上に、帯状絶縁体５ｂにおける幅方向の中央部に位置すると共に、各端部の位置が信号用導電体８の各端部の位置に揃うようにして重ねられている。つまり、各導電体７，８は、帯状絶縁体５ｂを挟んだ状態で帯状絶縁体５ａ上に重ねられている。コイル部１５は、このように互いに重ねられた各帯状絶縁体５ａ，５ｂ、および各導電体７，８を、各導電体７，８の他端側を巻き始めとして、かつ接地用導電体７に対して信号用導電体８が外側になるように巻回することにより、接地用導電体７および信号用導電体８の巻数が例えば同一であって、中心部に空隙Ｈが形成された円筒状に形成されている。また、コイル部１５の空隙Ｈ内には、磁性コア６が装着されている。
【００３２】
この場合、入力端子２が接続される信号用導電体８の他端側（最内周部）は接地用導電体７の他端側とほぼ揃った状態でコイル部１５の内周側に位置して、入力端子２は、図４に示すように、コイル部１５の一方の端面における中心側部位（図５中の引出し部位Ａ）から引き出されている。また、接地用端子４が接続される接地用導電体７における他端側（最内周部）はコイル部１５の中心側（内周側）に位置して、接地用端子４は、図４に示すように、コイル部１５の一方の端面における中心側部位（図５中の引出し部位Ｃ）から引き出されている。ここで、接地用端子４の引出し部位Ｃは、図５に示すように、コイル部１５の中心軸Ｏと入力端子２の引出し部位Ａとを含む平面Ｌ上であって、中心軸Ｏ（磁性コア６）を挟んで入力端子２の引出し部位Ａとは反対側に設定されている。また、出力端子３が接続される信号用導電体８における一端側（最外周部）は接地用導電体７の一端側とほぼ揃った状態でコイル部１５の外周側に位置して、出力端子３は、図４に示すように、コイル部１５の一方の端面における外周側部位（図５中の引出し部位Ｂ）から引き出されている。具体的には、出力端子３の引出し部位Ｂは、図５に示すように、平面Ｌ上であって、接地用端子４の引出し部位Ｃを挟んで入力端子２の引出し部位Ａとは反対側に設定されている。
【００３３】
このフィルタ素子１１によれば、接地用導電体７に対して信号用導電体８が外側になるように巻回して全体として筒状に形成されると共に中心部に磁性コア６が配設されたコイル部１５と、信号用導電体８の最内周部に接続されると共にコイル部１５の中心側部位（引出し部位Ａ）から引き出される入力端子２と、接地用導電体７の最内周部に接続されると共に磁性コア６を挟んで入力端子２の引出し部位Ａとは反対側に位置するコイル部１５の中心側部位（引出し部位Ｃ）から引き出される接地用端子４と、信号用導電体８の最外周部に接続されると共に接地用端子４の引出し部位Ｃを挟んで入力端子２の引出し部位Ａとは反対側に位置するコイル部１５の外周側部位（引出し部位Ｂ）から引き出される出力端子３とを備えたことにより、図２０において符号Ｒで示すように、所定の周波数帯域（同図では約０．７ＭＨｚ〜６ＭＨｚ）において大きな減衰量（５０ｄＢ以上の減衰量）を確保することができる結果、優れた減衰特性を有するノーマルモード用のフィルタ素子を実現することができる。
【００３４】
なお、本発明は、上記した構成に限定されない。例えば、上述した各フィルタ素子１，１１では、コイル部５，１５に形成された空隙Ｈの内部に磁性コア６を装着して各接地用導電体７および信号用導電体８の結合度合いや分布インダクタンスの値を向上させることによって減衰特性を向上させた例について説明したが、磁性コア６に代えてポットコア内にコイル部５，１５を装着する構成を採用することもできる。この構成によれば、各接地用導電体７および信号用導電体８の結合度合いや分布インダクタンスの値をさらに向上させつつ、外部磁界のコイル部５，１５に対する影響を低減させることができる。この場合、ポットコアとしては、図７〜図９に示す各種の形状のポットコアを使用することができる。図７に示すポットコア２６を使用したフィルタ素子２１では、ポットコア２６における切欠部から、入力端子２、出力端子３および接地用端子４を引き出して構成する。
【００３５】
一方、図８に示すフィルタ素子３１のように、コイル部（一例として同図では、コイル部５）における入力端子２、出力端子３および接地用端子４の引出し端面（同図中の上端面）に対向する壁面に切欠部や開口部分が当初存在しない構成のポットコア３６を使用する場合、コイル部５における入力端子２、出力端子３および接地用端子４の引出し部位Ａ，Ｂ，Ｃに対応させて、ポットコア３６の上記壁面にそれぞれ孔３６ａ，３６ｂ，３６ｃを形成して、入力端子２、出力端子３および接地用端子４をポットコア３６の外部に引き出して構成する。
【００３６】
さらに、図９に示すフィルタ素子４１のように、コイル部（一例として同図では、コイル部５）における入力端子２、出力端子３および接地用端子４の引出し端面に対向する壁面に切欠部や開口部が存在せず、周壁にのみ切欠部（開口部）４６ａが設けられている構成のポットコア４６を使用する場合、コイル部５における所定の位置（引出し部位Ａ，Ｂ，Ｃ）から引き出した入力端子２、出力端子３および接地用端子４を、図１０に示すようにしてコイル部５の端面に沿ってコイル部５の外周側まで延出させることにより、図９に示すように、切欠部（開口部）４６ａを介してポットコア４６の外部に引き出して構成する。なお、図示はしないが、上記した各ポットコア２６，３６，４６以外の形状のポットコアを使用することができるのは勿論である。
【００３７】
（第３の最良の形態）
次に、本形態に係るフィルタ素子５１について、図面を参照して説明する。
【００３８】
まず、フィルタ素子５１の構成について説明する。なお、このフィルタ素子５１は、ノーマルモードフィルタとして機能するフィルタ素子１を基本としてコモンモードフィルタとして機能可能に構成されている。このため、殆どの構成要素はフィルタ素子１の対応する構成要素と共通する。したがって、フィルタ素子１と同一の構成については同一の符号を付して、重複する説明を省略する。
【００３９】
フィルタ素子５１は、図１１に示すように、一対の入力端子２ａ，２ｂ（以下、区別しないときには「入力端子２」ともいう）、一対の出力端子３ａ，３ｂ（以下、区別しないときには「出力端子３」ともいう）、接地用端子４、コイル部５５および円柱状の磁性コア６を備えて構成されて、分布定数型のコモンモードノイズフィルタ（低域通過型フィルタ）として機能する。
【００４０】
コイル部５５は、図１２に示すように、帯状絶縁体５ａ，５ｂ、接地用導電体７および一対の信号用導電体８ａ，８ｂ（以下、特に区別しないときは「信号用導電体８」ともいう）を備えている。この場合、接地用導電体７は、その一端側に接地用端子４の一端側が電気的に接続されて、帯状絶縁体５ａの上に重ねられている。信号用導電体８ａ，８ｂは、一例として同じ幅に形成されると共に接地用導電体７と同じ長さにそれぞれ設定されている。また、信号用導電体８ａ，８ｂは、接地用導電体７を帯状絶縁体５ａとの間で挟み込むようにして帯状絶縁体５ａに重ねられた帯状絶縁体５ｂの上に、互いに接触しないようにして平行に、かつ各端部の位置が接地用導電体７の各端部の位置に揃うようにして重ねられている。また、各信号用導電体８ａ，８ｂは、各々の一端側に入力端子２ａ，２ｂの一端側が電気的にそれぞれ接続されると共に、各々の他端側に出力端子３ａ，３ｂの一端側が電気的にそれぞれ接続されている。つまり、各導電体７，８は、帯状絶縁体５ｂを挟んだ状態で帯状絶縁体５ａ上に重ねられている。コイル部５５は、このように互いに重ねられた各帯状絶縁体５ａ，５ｂ、および各導電体７，８ａ，８ｂを、各導電体７，８ａ，８ｂの他端側を巻き始めとして、かつ信号用導電体８ａ，８ｂに対して接地用導電体７が外側になるように巻回することにより、接地用導電体７および各信号用導電体８ａ，８ｂの巻数が例えば同一であって、全体として図１１に示すように筒状（中心部に空隙Ｈが形成された円筒状）に形成されている。また、コイル部１５の空隙Ｈ内には、磁性コア６が装着されている。
【００４１】
この場合、各入力端子２ａ，２ｂが接続される各信号用導電体８ａ，８ｂにおける各々の一端側（最外周部）は接地用導電体７の一端側とほぼ揃った状態でコイル部５５の外周側に位置して、各入力端子２ａ，２ｂは、フィルタ素子１と同様にして、図２に示すように、コイル部５５における引出し部位Ａから引き出されている。一方、各出力端子３ａ，３ｂが接続される各信号用導電体８ａ，８ｂにおける各々の他端側（最内周部）は接地用導電体７の他端側とほぼ揃った状態でコイル部５５の中心側に位置して、各出力端子３ａ，３ｂは、フィルタ素子１と同様にして、同図に示すように、コイル部５５における引出し部位Ｂから引き出されている。また、接地用端子４は、フィルタ素子１と同様にして、同図に示すように、コイル部５５における引出し部位Ｃから引き出されている。
【００４２】
このフィルタ素子５１によれば、コモンモードノイズが、入力端子２ａから信号用導電体８ａを経由して出力端子３ａに至る経路と、入力端子２ｂから信号用導電体８ｂを経由して出力端子３ｂに至る経路との双方を同時に伝搬して、共に接地用導電体７に流入する。このため、一対の入力端子２ａ，２ｂ、一対の信号用導電体８ａ，８ｂおよび一対の出力端子３ａ，３ｂは、コモンモードノイズに関しては、それぞれ一つの入力端子２、一つの信号用導電体８および一つの出力端子３であるとみなすことができる。したがって、フィルタ素子５１は、コモンモードノイズに関して、ノーマルモードノイズに対してフィルタ素子１が良好な減衰特性を示すように機能するのと同様にして、良好な減衰特性を示すように機能する。
【００４３】
（第４の最良の形態）
次に、本形態に係るフィルタ素子６１について、図面を参照して説明する。
【００４４】
まず、フィルタ素子６１の構成について説明する。なお、フィルタ素子６１は、ノーマルモードフィルタとして機能するフィルタ素子１１を基本としてコモンモードフィルタとして機能可能に構成されている。このため、フィルタ素子１１と共通する構成要素を多く備えている。また、フィルタ素子６１は、フィルタ素子５１と同じくコモンモードフィルタとして機能可能に構成されているため、フィルタ素子５１と共通する構成要素も多く備えている。したがって、フィルタ素子１１やフィルタ素子５１と同一の構成要素については同一の符号を付して、重複する説明を省略する。
【００４５】
フィルタ素子６１は、図１３に示すように、一対の入力端子２（２ａ，２ｂ）、一対の出力端子３（３ａ，３ｂ）、接地用端子４、コイル部６５および円柱状の磁性コア６を備えて構成されて、分布定数型のコモンモードノイズフィルタ（低域通過型フィルタ）として機能する。
【００４６】
コイル部６５は、図１４に示すように、帯状絶縁体５ａ，５ｂ、接地用導電体７および一対の信号用導電体８ａ，８ｂを備えている。この場合、各信号用導電体８ａ，８ｂは、各々の一端側に各出力端子３ａ，３ｂの一端側が電気的に接続されると共に、他端側に各入力端子２ａ，２ｂの一端側が電気的に接続されて、帯状絶縁体５ａの上に重ねられている。また、各信号用導電体８ａ，８ｂは、一例として同じ幅に形成されると共に信号用導電体８と同じ長さに設定されている。接地用導電体７は、一対の信号用導電体８ａ，８ｂを帯状絶縁体５ａとの間で挟み込むようにして帯状絶縁体５ａに重ねられた帯状絶縁体５ｂの上に、各端部の位置が信号用導電体８ａ，８ｂの各端部の位置に揃うようにして重ねられている。つまり、各導電体７，８は、帯状絶縁体５ｂを挟んだ状態で帯状絶縁体５ａ上に重ねられている。コイル部６５は、このように互いに重ねられた各帯状絶縁体５ａ，５ｂ、および各導電体７，８ａ，８ｂを、各導電体７，８ａ，８ｂの他端側を巻き始めとして、かつ接地用導電体７に対して信号用導電体８ａ，８ｂが外側になるように巻回することにより、接地用導電体７および各信号用導電体８ａ，８ｂの巻数が例えば同一であって、全体として図１３に示すように筒状（中心部に空隙Ｈが形成された円筒状）に形成されている。また、コイル部１５の空隙Ｈ内には、磁性コア６が装着されている。
【００４７】
この場合、各入力端子２ａ，２ｂが接続される各信号用導電体８ａ，８ｂにおける各々の他端側（最内周部）は接地用導電体７の他端側とほぼ揃った状態でコイル部６５の中心側に位置して、各入力端子２ａ，２ｂは、フィルタ素子１１と同様にして、図５に示すように、コイル部６５における引出し部位Ａから引き出されている。一方、各出力端子３ａ，３ｂが接続される各信号用導電体８ａ，８ｂにおける各々の一端側（最外周部）は接地用導電体７の一端側とほぼ揃った状態でコイル部６５の外周側に位置して、各出力端子３ａ，３ｂは、フィルタ素子１１と同様にして、同図に示すように、コイル部６５における引出し部位Ｂから引き出されている。また、接地用端子４は、フィルタ素子１１と同様にして、同図に示すように、コイル部６５における引出し部位Ｃから引き出されている。
【００４８】
このフィルタ素子６１によれば、コモンモードノイズに関しては、フィルタ素子５１と同様にして、一対の入力端子２ａ，２ｂ、一対の信号用導電体８ａ，８ｂおよび一対の出力端子３ａ，３ｂを、それぞれ一つの入力端子２、一つの信号用導電体８および一つの出力端子３としてみなすことができる。したがって、フィルタ素子６１は、コモンモードノイズに関して、ノーマルモードノイズに対してフィルタ素子１１が良好な減衰特性を示すように機能するのと同様にして、良好な減衰特性を示すように機能する。
【００４９】
なお、図示はしないが、フィルタ素子５１，６１についても、磁性コア６に代えて、ポットコア（例えば、図７〜図９に示すポットコア２６，３６，４６）を使用することができるのは勿論である。
【００５０】
また、上記した各フィルタ素子１〜６１では、入力端子２、出力端子３および接地用端子４を、コイル部の同一端面（図１では上端面）にのみ配設する構成を採用したが、入力端子２、出力端子３および接地用端子４は、コイル部の中心軸Ｏを含む平面Ｌ上に配設されていれば良いため、入力端子２、出力端子３および接地用端子４の内の一部の端子を他の端子とは逆の端面（図１では下端面）に配設する構成を採用することもできる。また、上記した各フィルタ素子１〜６１では、入力端子２、出力端子３および接地用端子４を、コイル部の中心軸Ｏを含む平面Ｌ上に配設する構成を採用したが、全ての端子が平面Ｌ上に厳密には配設されずに、平面Ｌから若干ずれた位置に各端子が配置されていても良い。この場合、上記した各フィルタ素子１〜６１と比較して減衰特性が若干低下するものの、従来のフィルタ素子と比較して、依然として十分に良好な減衰特性を示す。言い替えれば、入力端子２、出力端子３および接地用端子４を、コイル部の中心軸Ｏを含む平面Ｌ上に配設することにより、所定の周波数帯域においてさらに大きな減衰量を確保することができる結果、一層優れた最良の減衰特性を有するノーマルモード用またはコモンモード用のフィルタ素子を実現することができる。また、各フィルタ素子１〜６１では、コイル部５，１５，５５，６５の空隙Ｈ内に磁性コア６を装着したり、ポットコア２６，３６，４６を使用したりして構成されているが、磁性コア６やポットコア２６，３６，４６を使用しない空芯型にフィルタ素子を構成することもできる。ただし、空隙Ｈに柱状の磁性コア６を装着することにより、接地用の帯状絶縁体５ａおよび信号用の帯状絶縁体５ｂの結合度合いや分布インダクタンスの値を向上させることができる結果、一層優れた減衰特性を有し、しかも、より低周波数のノイズも減衰させ得るフィルタ素子を実現することができる。また、フィルタ素子５１，６１では、一対の信号用導電体８ａ，８ｂを備えてコモンモードフィルタとして機能させる構成について説明したが、３本以上の信号用導電体を備えて構成することもできる。
【００５１】
また、本発明者は、上記した各フィルタ素子１，１１，５１，６１において、信号用導電体８の巻数を増やして分布インダクタンスを増加させることにより、より低い周波数帯域でのノイズ削減効果を大幅に向上させ得ることを見い出した。しかしながら、信号用導電体８の巻数を増やそうとしても、上記した各フィルタ素子１，１１，５１，６１では、使用するポットコアの内径や、ＥＩ型、ＥＥ型またはトロイダルコアなどの磁性コアの窓面積によってコイル部５，１５，５５，６５の外径が規制される結果、信号用導電体８の巻数を増やすことが困難である。このような場合、接地用導電体７および信号用導電体８のうちの接地用導電体７を短く形成してその巻数を減少させると共に信号用導電体８を長く形成して、接地用導電体７の巻数の減少によってポットコアの内部や磁性コアの窓部に生じた隙間を利用して信号用導電体８の巻数を増加させる構成を採用することにより、同じ長さの接地用導電体７および信号用導電体８を使用した構成と比較して、同一のポットコアや同一の磁性コアを使用したときであっても、信号用導電体８の巻数を増加させることができる。このため、このフィルタ素子によれば、分布インダクタンスの増加により、より低い周波数帯域でのノイズ削減効果を向上させることができる。
【００５２】
具体的に、ノーマルモード用のフィルタ素子１に上記構成を適用して信号用導電体８の巻数を増やしたフィルタ素子７１について説明する。なお、フィルタ素子１と同一の構成要素については同一の符号を付して重複する説明を省略する。このフィルタ素子７１は、図１に示すように、フィルタ素子１と同様にして、入力端子２、出力端子３、接地用端子４、コイル部７５および磁性コア６を備えて構成されると共に、入力端子２、出力端子３および接地用端子４の各引出し部位Ａ，Ｂ，Ｃが図２に示すように設定されている。この場合、コイル部７５は、図１５に示すように、コイル部５における接地用導電体７の長さＬ１よりも長さＬ２だけ短く形成した接地用導電体７と、コイル部５における信号用導電体８の長さＬ１よりも長く（例えば、長さＬ２と等しい長さ分だけ長く）形成した信号用導電体８とを備えている。また、コイル部７５は、帯状絶縁体５ｂを挟み、かつそれぞれの最外周部側の端部（巻き終わり側端部。同図中の左端部）同士の位置を揃えた状態で重ねられた接地用導電体７および信号用導電体８を、信号用導電体８に対して接地用導電体７が外側になるように巻回してコイル部５の外径と同じ外径の筒状に形成されている。このようにして形成したコイル部７５では、接地用導電体７を短く形成すると共に、外径が例えばコイル部５の外径と同一になるように（外径がコイル部５の外径を超えない範囲内で）信号用導電体８を長く形成したことにより、コイル部５用のポットコアや磁性コアを使用可能としつつ、信号用導電体８の巻数をコイル部５と比較して増加させることができる。この場合、信号用導電体８を長く形成したことによる十分な効果を得るためには、信号用導電体８の巻数をｎ（ｎは２以上の数。以下、同様）としたときに、接地用導電体７の巻数を１以上（ｎ−１）以下とするのが好ましい。
【００５３】
次に、ノーマルモード用のフィルタ素子１１に上記構成を適用して信号用導電体８の巻数を増やしたフィルタ素子８１について説明する。なお、フィルタ素子１１と同一の構成要素については同一の符号を付して重複する説明を省略する。このフィルタ素子８１は、図４に示すように、フィルタ素子１１と同様にして、入力端子２、出力端子３、接地用端子４、コイル部８５および磁性コア６を備えて構成されると共に、入力端子２、出力端子３および接地用端子４の各引出し部位Ａ，Ｂ，Ｃが図５に示すように設定されている。この場合、コイル部８５は、図１６に示すように、コイル部１５における接地用導電体７の長さＬ１よりも長さＬ２だけ短く形成した接地用導電体７と、コイル部１５における信号用導電体８の長さＬ１よりも長く（例えば、長さＬ２と等しい長さ分だけ長く）形成した信号用導電体８とを備えている。また、コイル部８５は、帯状絶縁体５ｂを挟み、かつそれぞれの最内周部側の端部（巻始め側端部。同図中の右端部）同士の位置を揃えた状態で重ねられた接地用導電体７および信号用導電体８を、接地用導電体７に対して信号用導電体８が外側になるように巻回してコイル部１５の外径と同じ外径の筒状に形成されている。このようにして形成したコイル部８５では、接地用導電体７を短く形成すると共に、外径が例えばコイル部１５の外径と同一になるように（外径がコイル部１５の外径を超えない範囲内で）信号用導電体８を長く形成したことにより、コイル部５用のポットコアや磁性コアを使用可能としつつ、信号用導電体８の巻数をコイル部１５と比較して増加させることができる。この場合、信号用導電体８を長く形成したことによる十分な効果を得るためには、信号用導電体８の巻数をｎ（ｎは２以上の数。以下、同様）としたときに、接地用導電体７の巻数を１以上（ｎ−１）以下とするのが好ましい。
【００５４】
以上、接地用導電体７の巻数を減少させて信号用導電体８の巻数を増加させる構成をノーマルモード用のフィルタ素子１，１１に適用することによってノーマルモード用のフィルタ素子７１，８１を構成した例について説明したが、接地用導電体７の巻数を減少させて信号用導電体８の巻数を増加させる構成を上記したコモンモード用のフィルタ素子５１，６１に適用することもできる。この場合、接地用導電体７の巻数を減少させると共に、コイル部の外径を変えないで、一対の信号用導電体８ａ，８ｂの巻数をそれぞれ増加させるように形成する。具体的には、フィルタ素子５１に対して適用するときには、短い接地用導電体７と長い信号用導電体８ａ，８ｂとをそれぞれの最外周部側の端部（巻き終わり側端部）同士の位置を揃えた状態で帯状絶縁体５ｂを介して重ね合わせて、信号用導電体８に対して接地用導電体７が外側になるように巻回してコイル部を形成する。また、入力端子２、出力端子３および接地用端子４の各引出し部位Ａ，Ｂ，Ｃは、図２に示すように設定する。一方、フィルタ素子６１に対して適用するときには、短い接地用導電体７と長い信号用導電体８ａ，８ｂとをそれぞれの最内周部側の端部（巻始め側端部）同士の位置を揃えた状態で帯状絶縁体５ｂを介して重ね合わせて、接地用導電体７に対して信号用導電体８が外側になるように巻回してコイル部を形成する。
【００５５】
また、フィルタ素子５１，６１では、一対の信号用導電体８ａ，８ｂに対して１つの接地用導電体７を対向配置する構成が採用されているが、接地用導電体７を介して一対の信号用導電体８ａ，８ｂ同士が容量的に結合する度合いを低減して減衰特性を一層良好にするために、接地用導電体７を長さ方向に沿って２つに分割すると共に、分割した接地用導電体７を信号用導電体８ａ，８ｂにそれぞれ対応させてコモンモード用のフィルタ素子を構成することもできる。本発明は、この構成のコモンモード用のフィルタ素子に対しても適用することができ、各フィルタ素子１，１１，５１，６１に適用したのと同様にして、フィルタ素子のより低い周波数帯域でのノイズ削減効果を大幅に向上させることができる。例えば、接地用導電体７が２つ（接地用導電体７ａ，７ｂ）に分割されたフィルタ素子５１に対して本発明を適用して構成したフィルタ素子９１では、図１７に示すように、短い接地用導電体７ａ，７ｂと長い信号用導電体８ａ，８ｂとをそれぞれの最外周部側の端部（巻き終わり側端部）同士の位置を揃えた状態で帯状絶縁体５ｂを介して重ね合わせて、信号用導電体８ａ，８ｂに対して接地用導電体７ａ，７ｂが外側になるように巻回してコイル部９５を形成する。また、入力端子２ａ，２ｂ、出力端子３ａ，３ｂおよび接地用端子４ａ，４ｂの各引出し部位Ａ，Ｂ，Ｃは、図２に示すように設定する。一方、接地用導電体７が２つ（接地用導電体７ａ，７ｂ）に分割されたフィルタ素子６１に対して本発明を適用して構成したフィルタ素子１０１では、図１８に示すように、短い接地用導電体７ａ，７ｂと長い信号用導電体８ａ，８ｂとをそれぞれの最内周部側の端部（巻始め側端部）同士の位置を揃えた状態で帯状絶縁体５ｂを介して重ね合わせて、接地用導電体７ａ，７ｂに対して信号用導電体８ａ，８ｂが外側になるように巻回してコイル部１０５を形成する。また、入力端子２ａ，２ｂ、出力端子３ａ，３ｂおよび接地用端子４ａ，４ｂの各引出し部位Ａ，Ｂ，Ｃは、図５に示すように設定する。なお、上記のフィルタ９１，１０１において、フィルタ素子５１，６１，７１，８１と同一の構成については同一の符号を付して重複する説明を省略した。
【実施例】
【００５６】
次に、実施例を挙げて本発明を詳細に説明する。
【００５７】
（実施例１、比較例１）
幅を１１ｍｍに設定した接地用導電体７、幅を３ｍｍに設定した一対の信号用導電体８ａ，８ｂ、厚みを５０μｍに規定したポリイミド絶縁シートで形成された一対の帯状絶縁体５ａ，５ｂを使用して、各信号用導電体８ａ，８ｂに対して接地用導電体７が外側となる巻数１８のコイル部５５を作製すると共に、作製したコイル部５５をポットコア（ＰＣ４０Ｐ３０／１９Ｚ−５２Ｈ（ＴＤＫ社製））に装着してフィルタ素子を作製した。この場合、出力端子３を挟んで入力端子２と反対側に接地用端子４を配設したフィルタ素子を作製して上記のフィルタ素子５１に対する実施例１とした。また、実施例１の入力端子２、出力端子３および接地用端子４の引出し部位Ａ，Ｂ，Ｃの配置に対して、接地用端子４の引出し部位Ｃを入力端子２の引出し部位Ａとほぼ同じ位置に配設したフィルタ素子を作製してフィルタ素子５１に対する比較例１とした。
【００５８】
次いで、実施例１および比較例１に係るフィルタ素子の各周波数毎の減衰特性を、ＡＤＶＡＮＴＥＳＴ社製のＮＥＴＷＯＲＫ  ＡＮＡＬＹＺＥＲ  Ｒ３７６７ＣＧを使用して測定した。この際に、一対の入力端子２ａ，２ｂを短絡させると共に、一対の出力端子３ａ，３ｂを短絡させて、信号用導電体８ａ，８ｂに対して試験用信号を同時に供給する方法を採用した。実施例１および比較例１に係るフィルタ素子の各減衰特性を図１９に示す。同図において、実施例１に係るフィルタ素子の減衰特性を符号Ｐで示し、比較例１に係るフィルタ素子の減衰特性を符号Ｑに示す。
【００５９】
図１９によれば、比較例１に係るフィルタ素子では、３０ｄＢ以上の減衰量を確保することができない。一方、実施例１に係るフィルタ素子は、約１．５ＭＨｚ〜１５ＭＨｚの周波数帯域において大きな減衰量（５０ｄＢ以上の減衰量）を確保できることが確認された。
【００６０】
（実施例２、比較例２）
幅を１１ｍｍに設定した接地用導電体７、幅を３ｍｍに設定した一対の信号用導電体８ａ，８ｂ、厚みを５０μｍに規定したポリイミド絶縁シートで形成された一対の帯状絶縁体５ａ，５ｂを使用して、接地用導電体７に対して各信号用導電体８ａ，８ｂが外側となる巻数２２のコイル部６５を作製すると共に、作製したコイル部６５をポットコア（Ｈ５Ｃ２Ｐ３０／１９Ｚ−５２Ｈ（ＴＤＫ社製））に装着してフィルタ素子を作製した。この場合、コイル部６５の中心軸Ｏを挟んで入力端子２と反対側に接地用端子４を配設したフィルタ素子を作製して上記のフィルタ素子６１に対する実施例２とした。また、実施例２の入力端子２、出力端子３および接地用端子４の引出し部位Ａ，Ｂ，Ｃの配置に対して、接地用端子４の引出し部位Ｃを入力端子２の引出し部位Ａとほぼ同じ位置に配設したフィルタ素子を作製してフィルタ素子６１に対する比較例２とした。
【００６１】
次いで、実施例２および比較例２に係るフィルタ素子の各周波数毎の減衰特性を、上記した実施例１および比較例１のときと同一の方法によって測定した。実施例２および比較例２に係るフィルタ素子の各減衰特性を図２０に示す。同図において、実施例２に係るフィルタ素子の減衰特性を符号Ｒで示し、比較例２に係るフィルタ素子の減衰特性を符号Ｓに示す。
【００６２】
図２０によれば、比較例２に係るフィルタ素子では、約１８ＭＨｚ近傍の周波数帯域において５０ｄＢ以上の減衰量を確保できるものの、この周波数帯域が約１ＭＨｚと非常に狭い特性を有している。一方、実施例２に係るフィルタ素子では、約０．７ＭＨｚ〜６ＭＨｚという広い周波数帯域において５０ｄＢ以上の減衰量を確保できることが確認された。
【００６３】
（比較例３，４）
幅を１１ｍｍに設定した接地用導電体７、幅を３ｍｍに設定した一対の信号用導電体８ａ，８ｂ、厚みを５０μｍに規定したポリイミド絶縁シートで形成された一対の帯状絶縁体５ａ，５ｂを使用して、各信号用導電体８ａ，８ｂに対して接地用導電体７が外側となる巻数２１のコイル部を作製すると共に、作製したコイル部をポットコア（ＰＣ４０Ｐ３０／１９Ｚ−５２Ｈ（ＴＤＫ社製））に装着してフィルタ素子を作製した。この場合、図２２に示すように、実施例１に係るフィルタ素子の入力端子２、出力端子３および接地用端子４の引出し部位Ａ，Ｂ，Ｃの配置に対して、出力端子３ａ，３ｂの引出し部位Ｂをコイル部の中心軸Ｏに対して反対側に位置するコイル部の中心側に配設したフィルタ素子を作製してフィルタ素子５１に対する比較例３とした。また、比較例３の入力端子２、出力端子３および接地用端子４の引出し部位Ａ，Ｂ，Ｃの配置に対して、図２３に示すように、接地用端子４の引出し部位Ｃを入力端子２の引出し部位Ａとほぼ同じ位置に配設したフィルタ素子を作製してフィルタ素子５１に対する比較例４とした。この場合、比較例３，４の入力端子２、出力端子３および接地用端子４は、コイル部の中心軸Ｏを含む平面Ｌ上に位置する構成とした。
【００６４】
次いで、比較例３，４に係るフィルタ素子の各周波数毎の減衰特性を、上記した実施例１および比較例１のときと同一の方法によって測定した。比較例３，４に係るフィルタ素子の各減衰特性を図２１に示す。同図において、比較例３に係るフィルタ素子の減衰特性を符号Ｔで示し、比較例４に係るフィルタ素子の減衰特性を符号Ｕに示す。
【００６５】
図２１によれば、比較例３に係るフィルタ素子は、約０．６ＭＨｚ〜約１ＭＨｚの周波数帯域において５０ｄＢ以上の減衰量を確保できるものの、上記した実施例１，２と比較してその周波数帯域が狭い特性を有していることが確認された。一方、比較例４に係るフィルタ素子は、約２．３ＭＨｚ近傍において５０ｄＢ以上の減衰量を確保できるものの、その周波数帯域が非常に狭い特性を有していることが確認された。
【００６６】
（実施例３、比較例５）
幅を３ｍｍに設定した一対の接地用導電体７ａ，７ｂ、幅を３ｍｍに設定した一対の信号用導電体８ａ，８ｂ、厚みを５０μｍに規定したポリイミド絶縁シートで形成された一対の帯状絶縁体５ａ，５ｂを使用して、各信号用導電体８ａ，８ｂに対して接地用導電体７ａ，７ｂが外側となるコイル部９５を作製すると共に、作製したコイル部９５をポットコア（ＰＣ４０Ｐ３０／１９Ｚ−５２Ｈ（ＴＤＫ社製））に装着してフィルタ素子を作製して実施例３とした。この場合、接地用導電体７ａ，７ｂを短く形成して、その分、信号用導電体８ａ，８ｂを長く形成することにより、コイル部９５における信号用導電体８ａ，８ｂの巻数を３８に設定し、接地用導電体７ａ，７ｂの巻数を１８に設定した。また、入力端子２ａ，２ｂ、出力端子３ａ，３ｂおよび接地用端子４ａ，４ｂの各引出し部位については図２に示すＡ，Ｂ，Ｃにそれぞれ設定した。また、実施例３における接地用導電体７ａ，７ｂを長く形成すると共に信号用導電体８ａ，８ｂを短く形成することにより、接地用導電体７ａ，７ｂおよび信号用導電体８ａ，８ｂの長さを同じに揃えて、接地用導電体７ａ，７ｂおよび信号用導電体８ａ，８ｂの各巻数を同一に設定すると共に、コイル部の外径をコイル部９５と同じに設定したフィルタ素子を作製して比較例５とした。この場合、信号用導電体８ａ，８ｂおよび接地用導電体７ａ，７ｂの巻数は共に２８に設定した。
【００６７】
次いで、実施例３および比較例５に係るフィルタ素子の各周波数毎の減衰特性を、ＡＤＶＡＮＴＥＳＴ社製のＮＥＴＷＯＲＫ  ＡＮＡＬＹＺＥＲ  Ｒ３７６７ＣＧを使用して測定した。この際に、一対の入力端子２ａ，２ｂを短絡させると共に、一対の出力端子３ａ，３ｂを短絡させて、信号用導電体８ａ，８ｂに対して試験用信号を同時に供給する方法を採用した。実施例３および比較例５に係るフィルタ素子の各減衰特性を図２４に示す。同図において、実施例３に係るフィルタ素子の減衰特性を符号Ｖで示し、比較例５に係るフィルタ素子の減衰特性を符号Ｗで示す。
【００６８】
図２４によれば、比較例５として作製したフィルタ素子に対して、実施例３として作製したフィルタ素子９１では、３００ＫＨｚ〜２０ＭＨｚの周波数帯域における減衰量を全域に亘って改善できることが確認された。特に、実施例３として作製したフィルタ素子９１は、３００ＫＨｚ〜１ＭＨｚの低い周波数帯域における減衰量を大幅に（６ｄＢ以上）改善できることが確認された。
【図面の簡単な説明】
【００６９】
【図１】フィルタ素子１（７１）の構成を示す斜視図である。
【図２】入力端子２、出力端子３および接地用端子４の各引出し部位Ａ，Ｂ，Ｃを示すフィルタ素子１（５１，７１，９１）を一方の端面から見た平面図である。
【図３】フィルタ素子１の構成を示すために、帯状絶縁体５ａ，５ｂ、接地用導電体７および信号用導電体８の一端側を巻き解いた状態の斜視図である。
【図４】フィルタ素子１１（８１）の構成を示す斜視図である。
【図５】入力端子２、出力端子３および接地用端子４の各引出し部位Ａ，Ｂ，Ｃを示すフィルタ素子１１（６１，８１，１０１）を一方の端面から見た平面図である。
【図６】フィルタ素子１１の構成を示すために、帯状絶縁体５ａ，５ｂ、接地用導電体７および信号用導電体８の一端側を巻き解いた状態の斜視図である。
【図７】フィルタ素子２１の構成を示す斜視図である。
【図８】フィルタ素子３１の構成を示す斜視図である。
【図９】フィルタ素子４１の構成を示す斜視図である。
【図１０】フィルタ素子４１に使用されるコイル部５の斜視図である。
【図１１】フィルタ素子５１の構成を示す斜視図である。
【図１２】フィルタ素子５１の構成を示すために、帯状絶縁体５ａ，５ｂ、接地用導電体７および信号用導電体８ａ，８ｂの一端側を巻き解いた状態の斜視図である。
【図１３】フィルタ素子６１の構成を示す斜視図である。
【図１４】フィルタ素子６１の構成を示すために、帯状絶縁体５ａ，５ｂ、接地用導電体７および信号用導電体８ａ，８ｂの一端側を巻き解いた状態の斜視図である。
【図１５】フィルタ素子７１を構成する帯状絶縁体５ａ，５ｂ、接地用導電体７および信号用導電体８を展開した状態の平面図である。
【図１６】フィルタ素子８１を構成する帯状絶縁体５ａ，５ｂ、接地用導電体７および信号用導電体８を展開した状態の平面図である。
【図１７】フィルタ素子９１を構成する帯状絶縁体５ａ，５ｂ、接地用導電体７ａ，７ｂおよび信号用導電体８ａ，８ｂを展開した状態の平面図である。
【図１８】フィルタ素子１０１を構成する帯状絶縁体５ａ，５ｂ、接地用導電体７ａ，７ｂおよび信号用導電体８ａ，８ｂを展開した状態の平面図である。
【図１９】実施例１および比較例１に係るフィルタ素子の周波数と減衰量との関係を示す減衰特性図である。
【図２０】実施例２および比較例２に係るフィルタ素子の周波数と減衰量との関係を示す減衰特性図である。
【図２１】比較例３および比較例４に係るフィルタ素子の周波数と減衰量との関係を示す減衰特性図である。
【図２２】比較例３に係るフィルタ素子の入力端子２、出力端子３および接地用端子４の各引出し部位Ａ，Ｂ，Ｃを示す説明図である。
【図２３】比較例４に係るフィルタ素子の入力端子２、出力端子３および接地用端子４の各引出し部位Ａ，Ｂ，Ｃを示す説明図である。
【図２４】実施例３および比較例５に係るフィルタ素子の周波数と減衰量との関係を示す減衰特性図である。
【符号の説明】
【００７０】
１，１１，２１，３１，４１，５１，６１，７１，８１，９１，１０１  フィルタ素子
２  入力端子
３  出力端子
４  接地用端子
５，１５，５５，６５，７５，８５，９５，１０５  コイル部
５ａ，５ｂ  帯状絶縁体
６  磁性コア
７，７ａ，７ｂ  接地用導電体
８，８ａ，８ｂ  信号用導電体
Ｈ  空隙
【図１】
2005102167.tif 000003
【図２】
2005102167.tif 000004
【図３】
2005102167.tif 000005
【図４】
2005102167.tif 000006
【図５】
2005102167.tif 000007
【図６】
2005102167.tif 000008
【図７】
2005102167.tif 000009
【図８】
2005102167.tif 000010
【図９】
2005102167.tif 000011
【図１０】
2005102167.tif 000012
【図１１】
2005102167.tif 000013
【図１２】
2005102167.tif 000014
【図１３】
2005102167.tif 000015
【図１４】
2005102167.tif 000016
【図１５】
2005102167.tif 000017
【図１６】
2005102167.tif 000018
【図１７】
2005102167.tif 000019
【図１８】
2005102167.tif 000020
【図１９】
2005102167.tif 000021
【図２０】
2005102167.tif 000022
【図２１】
2005102167.tif 000023
【図２２】
2005102167.tif 000024
【図２３】
2005102167.tif 000025
【図２４】
2005102167.tif 000026